(57)【特許請求の範囲】
【請求項１】
上端開放型で内部に一定レベルのもとに検水を溜めることができる一方排出も可能とされ縦向きに設置可能で自らに縦向きの測定目盛を付した筒状の目盛付透視管と、上端開放型で内部に一定レベルのもとに検水を溜めることができる一方排出も可能とされ前記透視管の下端との間を管で連通させて上方に伸びて設置される案内管と、透視管内から前記管を経由して案内管内に添って上方に伸びるとともに一端に標識付フロートを備え他端が巻取・繰出可能とされた連動条材と、目盛付透視管と管および案内管内に検水を投入・排出可能な手段とを備え、前記連動条材を巻取・繰出操作して標識付フロートを昇降操作しながら透視管上方から標識を覗き込んで標識を視認できる限界点を確認することによりその際の目盛を読み取って標識から検水上面までの高さを汚濁度として計測できるように構成した透視度計。
【発明の詳細な説明】
【技術分野】
【０００１】  本発明は、透視度計に関する。
【背景技術】
【０００２】  従来、下水の濁度測定用などに使用される透視度計は、ガラスや塩化ビニール製の円筒体を本体とし、その本体の底部にピンチコック付きのゴム管が連通して取り付けられたものである。円筒体には上下に目盛が付されており、この円筒体の底部に、二重十字模様の標識を付した標識板を入れておいて円筒体内に上から検水を入れて満たしておき、そののち、ピンチコックの調節によりゴム管を適度に開いて内部の検水を緩やかに排除してゆくように操作される。円筒体の上から覗いて標識が明確に見えてきたところで排水を止め、そのときの液面を下から何ｃｍであるかを目盛で読み取れば透視度を知ることができる器具となっている。
【発明の開示】
【発明が解決しようとする課題】
【０００３】  下水処理場においても前記透視度計を使用して懸濁水を検水に測定するのが通例であったが、近年、水質向上技術の高度化に伴って検水の透明度が向上してきているため短い透視度計では満水状態でも標識が確認されることになって測定不能になってきた。そのため、透視度計の本体を長くする必要が出てきたが、長くすると、従来方式では排水しながら標識の視認をする必要があることから、必ず２人の作業員が必要になり透視度確認作業が手間取って大変になる問題がある。
上記に鑑み、本発明は、透明度の向上した最近の検水でも測定を確実に行えるばかりでなく排水操作なしで一人の作業員でも簡単に透視度の確認作業が行えるようにした透視度計を提供することにある。
【課題を解決するための手段】
【０００４】  上記課題を解決するため、請求項１記載の発明は、上端開放型で内部に一定レベルのもとに検水を溜めることができる一方排出も可能とされ縦向きに設置可能で自らに縦向きの測定目盛を付した筒状の目盛付透視管と、上端開放型で内部に一定レベルのもとに検水を溜めることができる一方排出も可能とされ前記透視管の下端との間を管で連通させて上方に伸びて設置される案内管と、透視管内から前記管を経由して案内管内に添って上方に伸びるとともに一端に標識付フロートを備え他端が巻取・繰出可能とされた連動条材と、目盛付透視管と管および案内管内に検水を投入・排出可能な手段とを備え、前記連動条材を巻取・繰出操作して標識付フロートを昇降操作しながら透視管上方から標識を覗き込んで標識を視認できる限界点を確認することによりその際の目盛を読み取って標識から検水上面までの高さを汚濁度として計測できるように構成した。
【発明の効果】
【０００５】  本発明によれば、上端開放型で内部に一定レベルのもとに検水を溜めることができる一方排出も可能とされ縦向きに設置可能で自らに縦向きの測定目盛を付した筒状の目盛付透視管と、上端開放型で内部に一定レベルのもとに検水を溜めることができる一方排出も可能とされ前記透視管の下端との間を管で連通させて上方に伸びて設置される案内管と、透視管内から前記管を経由して案内管内に添って上方に伸びるとともに一端に標識付フロートを備え他端が巻取・繰出可能とされた連動条材と、目盛付透視管と管および案内管内に検水を投入・排出可能な手段とを備え、前記連動条材を巻取・繰出操作して標識付フロートを昇降操作しながら透視管上方から標識を覗き込んで標識を視認できる限界点を確認することによりその際の目盛を読み取って標識から検水上面までの高さを汚濁度として計測できるように構成したので、透明度の向上した最近の検水でも測定を確実に行えるばかりでなく排水操作なしで一人の作業員でも簡単に透視度の確認作業が行えるようにした透視度計を提供することができる。
【発明を実施するための最良の形態】
【０００６】  以下の各実施形態で説明する個々の提案例は他の実施形態にも適用されるものとする。
図１および図２は透視度計についての一提案例を示す。
そうしたことから、図１および図２に示す透視度計を考え出したもので、これらの図において６２は本体で高さが２〜６ｍ程度に長く直径も２０〜５０ｃｍの太いものになっている。同本体６２は、ガラスや樹脂などの透明円筒体が使用されているが、非透明質であったり角筒型のものであってもよい。【０００７】  本体６２の上下外周にはフランジ６３が取り付けられているがその筒端はそれぞれ開放状とされている。下部フランジ６３には止着具により取付ブラケット６４が装備され、水平な面や垂直な面のいずれにも止着具を介して据付得るようになっている。下部フランジ６３を中央孔付きの円板としてもよいが、ここではパッキンを介して取り付けたブラケット６４に孔６５を明けておき、沈澱池などの処理池６６内と配管（あるいはチューブ）６７により連通させてあるとともに可逆型のポンプ６８により検水として汚濁水を汲み上げ得るようにまた測定後に排水し得るようになっている。６９はソレノイド等の開閉バルブである。
尚、ポンプ６８が可逆型でない吸上げ専用である場合には、図２に仮想練で示すソレノイド駆動等のバルブ７０を介して自然流下可能にすることができる。【０００８】  本体６２の中には、リップ付きＣ型チャンネル材で金属や樹脂などを使用できるガイドレール７１が上下を止め付けることで垂直に固定されている。このガイドレール７１は、本体６２内においてその中心から少しずれた位置に立てられるとともにその溝側が本体６２内周面に対面するようになっている。同ガイドレール７１内にはウエイト７２が設けられ、同ウエイト７２に下端が取り付けられた状態で折れ曲がり容易なゲージ７３が通されている。【０００９】  ゲージ７３は、図２の左側面に目盛と数字が付され、この場合の０点はウエイト７２より上方に設定されている。同ゲージ７３は上端のローラー７４で変曲されるようにされるとともに、上部フランジ６３を介して取り付けた減速機付き可逆回転型駆動部７５に設けた巻き取りホイール７６に微速で巻き取られたり繰り出しも可能になっている。その操作は図示しない正逆切換スイッチによりなされる。巻き取りホイール７６は速度調整可能にしてもよい。また、前記ローラー７４の水平方向手前にはゲージ７３の目盛を読み取るための指標部７７が設けられている。【００１０】  そして、前記ウエイト７２の一側面からは図１に示すように円弧あるいはラセン状をなすステー７８がガイドレール７１を越えてその裏側に突き出すように設けられ、このステー７８に縦向きに設けた軸７９を介して設けた受皿８０内に二重十字模様の標識を付した標識片８１が取り付けられている。尚、８２はドレンで、本体６２の上端から少し下がった高さに連通状に設けられて検水の上限を規定するようになっている。その水面高さと前記指標部７７の間はａであり標識と水面との間は寸法Ｈとされており、そのことからゲージ７３上の０点は標識からａの高さに設定してある。【００１１】  本透視度計は、例えば、図３に示すように、沈澱池８３の側壁８４上に階段８５を備え、その階段８５を登って透視度を測定する場合などに使用される。この場合、ブラケット６４を側壁８４の側面に固定する一方本体６２の上端を階段８５側に固定することで透視度計を垂直に設定することができる。【００１２】  そして、図２に示すように、ポンプ６８により沈澱池水を検水として汲み上げて本体６２内に満水とする。満水はドレン８２により規定される。駆動部７５を駆動すると巻き取りホイール７６が回転しゲージ７３がゆっくりと巻き上げられる。その際、本体６２の上方から図のように標識の視認が行われており、視認に伴いスイッチがＯＦＦとされることによりその際の指標部７７に対応するゲージ目盛を読むようにすれば透視度が分かるものである。次の測定に備えて駆動部７５は逆回転されてゲージ７３は繰り出され下げておくようにする。
前記ガイドレール７１の溝を図１において左向き（標識片８１側）としその中を昇降するウエイト７２の左側面から左向きにステーを突出してその先端に標識片８１を設けるようにすると昇降側による波立ちなどが標識片８１の上水域を乱して視認しにくくするおそれがある。これに対して、前記実施形態のように、ガイドレール７１の溝を反標識側に向けその内部のウエイト７２からのステー７８を図１のように曲がり状にしてガイドレール７１の背側に伸ばしその先端を介して標識片７１を備えるようにすると、昇降側と標識側とがガイドレール７１により遮られた形となるので、昇降側の波立ちなどによる影響が標識側に伝わりにくくなり視認が明確になされることになる。【００１３】  尚、前記では駆動部７５で駆動する方式としたが、図２に仮想線で示すように、ハンドル８６で手動操作してもよい。この場合、ストッパが必要であるとともに、バランサ８７を付して軽快になされるようにしてもよい。
また、図４に示すように、ガイドレール７１に添って昇降するように錘８８付き掃除片８９を用意して紐９０で上げ下げし得るようにするとともに掃除片８９にブラシ９１を付しておいて本体６２の内周面をきれいにするようにしてもよい。さらに、図５に示すように、ステー９２を円環状にしてその周りにブラシ９３を付しておいて掃除するようにしてもよい。
図３の右欄に示すように、本体６２の明かり度を変更可能にするため、一対の遮光カバー９４，９４を長孔付き調整板９５を介して接離可能に構成してもよい。
さらに、本体６２内への検水は、ポンプ６８によらず上端開口を通じて手酌やホースなどにより行うようにしてもよい。【００１４】  図６は透視度計についての他の実施形態を示す。前記実施形態では、標識片８１とともにゲージ７３を昇降調節してゲージ７３の目盛を読み取るように構成されていた。この方式であると、ゲージ７３が視認する上端傍で直ぐに読み取ることができて便利である一方において、ゲージ７３が検水である汚濁水に浸かりそのまま上昇してくるため、それに測定者の顔や手指が触れると汚れるおそれがあった。また、ゲージ７３の目盛それ自体が汚濁されてきて目盛を確認しにくくなるおそれがあった。さらに、ゲージ７３を巻き上げる際に同ゲージ７３とともに汚濁水が上がってくるため、それが滴下して装置やその周辺などが汚れたりしてそれを清掃する必要があった。【００１５】  図６の実施形態はそうした点を改良したもので、１００は沈澱池の側壁で手摺１０１を既設のものとして備える一方、同側壁１００の傍にはロングタイプの透視度計の設置に適した側壁外低面１０２が既設のものとして設けられている。【００１６】  透視度計は、５０ｃｍ四方程度の平面形状とした台座１０３を底盤として有し、この台座１０３は、アンカーとなる止着具１０４により側壁外低面１０２の一側奥コーナーに寄せたところで水平を維持するように固定される。この台座１０３上には、一対の架台１０５が固定されるとともに、台座１０３の奥側には、溝を対向させた溝型鋼の一対でなる支柱１０６が図の手前と奥側に間隔を置いて対向状に固定立設されている。【００１７】  支柱１０６の高さは２ｍを越える程（２０６０ｍｍ）の長いもので、同支柱１０６の上端には左右支柱１０６間に相当する部分に貫通孔を開けた上連結板１０７が取り付けられており、同上連結板１０７は、測定者１０８の手を載せることもできるようになっている。支柱１０６の上部やや下寄りと前記手摺１０１との間は連結板１０９で連結固定されていて装置を安定にさせている。【００１８】  前記架台１０５上には、一対のエルボやティーなどの連結によるＵ字管１１１が締め付け固定されており、その一方の上端には第１ジョイント１１２を介して目盛付透視管１１３が連通状に接続されるとともに他方の上端には第２ジョイント１１４を介して案内管１１５がそれぞれ垂直状をなして立設固定されている。尚、Ｕ字管１１１の底部ティーには主バルブ１１６が設けられている。【００１９】  目盛付透視管１１３は、透明ガラス製（あるいは透明強化樹脂製）の円筒管で、同目盛付透視管１１３は、口径が４０ｍｍで肉厚が２ミリ程度のもので長さが１６００ｍｍ前後のものが使用されており、その側壁１００側には適宜に測定目盛１１７が一体的あるいはゲージ貼付けなどの方法で縦向きに付されている。この目盛１１７は、上端が受板１１８により支柱１０６側に固定されているとともに、目盛付透視管１１３の上端から数ｃｍ下がったところを基点「０」として下向きに１２００〜１４００ｍｍのゲージが標示されている。前記目盛付透視管１１３の長さは対象となる検水の汚濁程度の状況に応じて透視度が低いものから高いものを対象にして１００〜４００ｃｍの範囲で選択するものとし、また直径なども大小に選択するものとする。【００２０】  一方、第２ジョイント１１４に接続された案内管１１５は、透明・非透明いずれの管でもよく、その上端は開口して前記基点「０」より少し上方高さに位置するとともに、その上端より少し下がった高さで基点「０」に対応する高さには満水規定用排水管１１９が連通状に接続されてオーバーフローさせるようになっている。尚、同排水管１１９には、オーバーフローパイプ（あるいはホース）が接続されて側壁外低面１１２から排水溝まで導くようになっている。【００２１】  また、案内管１１５と支柱１１６間はステー１２０により連結されるとともに、同案内管１１５の基点「０」より下がった高さには注水エルボ１２１が連通して接続され、同エルボ１２１の基点「０」より上方に対応する上端には手動注水口１２２が漏斗状のものとして設けられている。
尚、前記主バルブ１１６に接続された管には、排水バルブ１２４を備えた排水管１２５が接続されて排水溝（図示省略）へと排水が導かれるようになっている。
また、前記では手動注水口１２２に検水容器１２６による検水が投入されたり、あるいは図示しない投入ホースで検水が投入されたりするようになっていたが、前記主バルブ１１６に接続した管に給水ポンプ１２７付きの給水管１２８を接続して沈澱池内からの検水を直接目盛付透視管１１３内に導入するようにすることもある。【００２２】  １３０はブラケットで、案内管１１５の上端から高く伸び、その上端にはフロート昇降部１３１がリール型式のものとして固定設置されている。このフロート昇降部１３１はＵ・Ｄ方向に可逆回転式とされるとともにいずれの回転位置でも停止ロック可能になっている。また、フロート昇降部１３１に巻き付けられた連動条材１３２は案内管１１５内およびＵ字管１１１内を通って目盛付透視管１１３内に通され、その先端には、左図のように二重十字の標識１３３を付着したフロート（浮力体）１３４が結び付けられている。同フロート１３４は、目盛付透視管１１３内で通水隙間Ｓを存して昇降し得るように構成されている。【００２３】  図６は検水（汚濁水）が案内管１１５から目盛付透視管１１３内に注ぎ込まれて標識付フロート１３４の標識１３３を視認する状態を示すが、その前の段階から説明する。前段階の測定が終わると、フロート昇降部１３１が巻取り駆動されてＤ方向に回転され、連動条材１３２がＤ方向に引かれるとともに標識付フロート１３４が下降されて同図のＵ字管１１１の上方欄に示すようにＵ字管１１１の上端に待機している。これにより、連動条材１３２がもつれる（縺れる）などのトラブルもなくなる。そのあとで紐が引かれることで排水バルブ１２４が開とされて標識付フロート１３４・案内管１１５およびＵ字管１１１内の全ての検水分が抜き去られる。
尚、標識付フロート１３４が下方に待機する際には、排水分や次の注水分がフロート１３４外周を通り抜けるように底脚突起１３５などにより隙間を設けたりフロート自体に通水孔１３６を設けておいて次回の注水時の検水が目盛付透視管１１３内に容易に導かれるようにしてもよい。
また、標識付フロート１３４は、四角柱状など多角形にして通水隙間Ｓを取るようにすることができる。さらに、標識付フロート１３４は、中実状の木質のものとしたが、中空状のものにしてもよいし、樹脂製にしてもよい。【００２４】  次の検水（汚濁水）を手動注水口１２２より注ぎ込むに当たってＵ字管１１１底部の排水バルブ１２４は少なくとも閉止された状態とされ、その閉状態で手動注水口１２２から注水エルボ１２１を通って案内管１１５・Ｕ字管１１１および目盛付透視管１１３内に検水が導入される。その際、検水は目盛付透視管１１３および案内管１１５内で水位上昇してゆき、目盛付透視管１１３内で基点「０」まで水位がくると満水規定用排水管１１９を通じてオーバーフローされることから基点「０」が規定される。【００２５】  目盛付透視管１１３内が基点「０」位置まで満水になるとフロート昇降部１３１を緩めるＵ方向に回転操作することで標識付フロート１３４が次第に上昇してゆき、その状態を続けて上から覗くことにより標識１３３が視認されるようになる。その時点でフロート昇降部１３１をロックしてその際の標識付フロート１３４の上面に対応するＸｃｍを計測しておくようにする。それが透視度として反映される。計測が終わると、上記のようにフロート昇降部１３１をＤ方向に巻取り操作すれば前記のように縺れのない待機状態になり、その後、排水バルブ１２４を開いて内部検水の全てを排出しておくようにする。【００２６】  尚、フロート昇降部１３１をＵの方向に十分繰り出せば標識付フロート１３４は目盛付透視管１１３の上端から突き出すように操作することができる。その際、突き出た標識付フロート１３４の標識を清掃して常にきれいな状態に保つことができる。その際、満水規定用排水管１１９の排水経路を一時的に閉じて注水をすれば目盛付透視管１１３内では基点「０」を越える水位（完全満水状態）とすることができる。この状態でフロート昇降部１３１を更にＵの方向に繰り出し操作すれば標識付フロート１３４の突出し量はより多くなって標識の清掃がしやすくなる。完全清掃するため、フロート昇降部１３１のＵ方向への繰り出しにより標識付フロート１３４を取り出して標識やフロート１３４を徹底的に拭き掃除することもできる。また、目盛付透視管１１３内は次第に汚濁化されてくることに対応してブラシなどの清掃具を上端の覗き窓口を通じて差し入れて擦り取ることができるが、その際、フロート昇降部１３１をＤ方向に巻き取る操作をすれば標識付フロート１３４が充分に下がって清掃が邪魔物なく簡単・確実に行える。この場合、注水は検水でなくきれいな水を清掃用として入れることもできる。【００２７】  標識付フロート１３４の標識１３３は、フロート１３４に一体貼り付け式にしてあるが、その上面も汚濁してきて視認精度が低下してくるおそれがある。そのため、同図目盛付透視管１１３の右側に示すように、フロート１３４から縦ステー１３７を立設してその上端にステンレス線を折り曲げるなどの方法で二重十字形の標識１３３を設けて標識１３３に汚濁物が積もらないようにしてもよい。Ｕ字管１１１は図示では上端同士が多少離れているため、フロート昇降部１３１が目盛付透視管１１３から少し離れている���、同Ｕ字管１１１の曲がり具合をできるだけ小さくすることによりフロート昇降部１３１を目盛付透視管１１３の側に接近配置して操作しやすくすることもできる。その一方において、同図に仮想線で示すように、ブラケット１３０を案内管１１５より目盛付透視管１１３の方向に延ばし、その上にフロート昇降部１３１および滑車１３８を設けると同フロート昇降部１３１を目盛付透視管１１３側に接近配置して操作しやすくすることができる。
また、手動注水口１２２・案内管１１５・Ｕ字管１１１を別途設けているので、検水を満杯にするのが非常に容易かつ迅速にできる。
さらに、標識付フロート１３４が目盛付透視管１１３内で昇降するようにしてあるので、標識付フロート１３４が安定に上下するとともに標識１３３が安定であり視認も常に確実になる。また、同実施形態によれば、目盛１１７は透視管１１３に固定であり連動条材１３２の方が巻き取り・繰り出し自在とされているので、測定者の顔や手指が汚れるおそれがない。さらに、目盛それ自体が目盛付透視管１１３の外面に付されていれば汚濁が少なく目盛を確認しやすい。また、連動条材１３２は細いものでフロート昇降部１３１に巻取り・繰り出しされるにすぎないものであるので、汚濁水が連れ上がる程度が非常に低くそれが滴下して装置やその周辺などを汚すおそれがない。
さらに、満水規定用排水管１１９は昇降調節可能としておけば、基点「０」に満水レベルを微調節して合わせることができる。また、同排水管１１９を基点「０」よりも高く設定しておいて満水レベルが基点「０」を越えるようにするとともに排水バルブ１２４を開いて満水レベルを基点「０」まで下げて合わすように操作することもできる。フロート１３４あるいは連動条材１３２に透視管１１３の内面清掃具（ブラシ・布など）を設けることもできる、フロート１３４としては発泡スチロール製の円・角柱体を使用することが吸水率が極低く維持されることで作動上好ましい。
【図面の簡単な説明】
【００２８】
【図１】本発明の一実施形態を示す平面図。
【図２】図１の縦断模式図。
【図３】透視度計の設置例を示す断面図。
【図４】他の実施形態を示す平面図。
【図５】他の実施形態を示す平面図。
【図６】透視度計についての他の実施形態を示す縦断面模式図。
【符号の説明】
【００２９】  ６２…本体  ８１…標識片  ７３…ゲージ  １１３…目盛付透視管  １１１…管  １１５…案内管  １３４…標識付フロート  １３２…連動条材。
【図１】
0005417580.tif 000002
【図２】
0005417580.tif 000003
【図３】
0005417580.tif 000004
【図４】
0005417580.tif 000005
【図５】
0005417580.tif 000006
【図６】
0005417580.tif 000007